(57)【要約】  盆栽用の植物を土を用いず確実に栽培することが可能な水耕栽培方法および盆栽用植物入り収納体の提供を目的とする。  本発明の水耕栽培方法は、酸素含有マイクロナノバブル２２を含む培養液２０を用いて盆栽用の植物３０を栽培する。上記盆栽用の植物３０は、桜、梅、ウメモドキ、ムラサキシキブ、カエデ、モミジまたは岩シデであることが好ましい。上記盆栽用の植物３０は、菌根菌４０と共生していることが好ましい。
2019087718.tif 000002
【特許請求の範囲】
【請求項１】
酸素含有マイクロナノバブルを含む培養液を用いて盆栽用の植物を栽培する水耕栽培方法。
【請求項２】
盆栽用の植物が、桜、梅、ウメモドキ、ムラサキシキブ、カエデ、モミジまたは岩シデである請求項１に記載の水耕栽培方法。
【請求項３】
盆栽用の植物が菌根菌と共生している請求項１または請求項２に記載の水耕栽培方法。
【請求項４】
酸素含有マイクロナノバブルを含む培養液と、この培養液に根の少なくとも一部が浸漬された盆栽用の植物と、前記培養液および前記盆栽用の植物を収納する容器と、を備えている盆栽用植物入り収納体。
【請求項５】
盆栽用の植物が、桜、梅、ウメモドキ、ムラサキシキブ、カエデ、モミジまたは岩シデである請求項４に記載の盆栽用植物入り収納体。
【発明の詳細な説明】
【技術分野】
【０００１】
本発明は、水耕栽培方法および盆栽用植物入り収納体に関する。
【背景技術】
【０００２】
近年、海外においても観賞用植物の人気が高まっており、日本で栽培された盆栽が海外に輸出されることが多くなっている。【０００３】
このような盆栽用の植物は、通常、土を培地として土耕栽培されており、例えば鉢植えされた状態で取引されている。
【先行技術文献】
【特許文献】
【０００４】
【特許文献１】特開平７−５９４７９号公報
【発明の概要】
【発明が解決しようとする課題】
【０００５】
上述したような盆栽の取引において、一部の国では土が付いた植物を輸入することが制限されているなど、土が付いた盆栽をそのまま持ち込むことができずに取引に支障を来すことがある。【０００６】
このような取引の支障を解消するため、例えば、輸送中は盆栽用植物の土耕栽培に代えて水耕栽培を採用することも考えられる（例えば、特許文献１参照）。しかしながら、盆栽用の植物を単に従来の水耕栽培方法を用いて栽培するだけでは根が腐って枯れてしまうことがあり、上記植物を安定して栽培することができず、結果的に取引の支障を解消するに至っていない。【０００７】
本発明は、以上のような事情に基づいてなされたものであり、その目的は、盆栽用の植物を土を用いず確実に栽培することが可能な水耕栽培方法および盆栽用植物入り収納体を提供することにある。
【課題を解決するための手段】
【０００８】
本発明は、
（１）酸素含有マイクロナノバブルを含む培養液を用いて盆栽用の植物を栽培する水耕栽培方法、
（２）盆栽用の植物が、桜、梅、ウメモドキ、ムラサキシキブ、カエデ、モミジまたは岩シデである前記（１）に記載の水耕栽培方法、
（３）盆栽用の植物が菌根菌と共生している前記（１）または（２）に記載の水耕栽培方法、
（４）酸素含有マイクロナノバブルを含む培養液と、この培養液に根の少なくとも一部が浸漬された盆栽用の植物と、前記培養液および前記盆栽用の植物を収納する容器と、を備えている盆栽用植物入り収納体、並びに
（５）盆栽用の植物が、桜、梅、ウメモドキ、ムラサキシキブ、カエデ、モミジまたは岩シデである前記（４）に記載の盆栽用植物入り収納体
に関する。【０００９】
なお、本明細書において、「マイクロナノバブル」とは、マイクロバブルおよびナノバブルの両者を包含する概念であり、マイクロバブルおよびナノバブルが混在するものを含む。また、「盆栽」とは、観賞用として樹姿を整えて育てられた鉢植えの草木を意味する。
【発明の効果】
【００１０】
本発明は、盆栽用の植物を土を用いず確実に栽培することが可能な水耕栽培方法および盆栽用植物入り収納体を提供することができる。
【図面の簡単な説明】
【００１１】
【図１】本発明の盆栽用植物入り収納体の一実施形態を示す概略側面図である。
【図２】本発明の盆栽用植物入り収納体の他の一実施形態を示す概略側面図である。
【図３】図１の盆栽用植物入り収納体の変形例を示す概略側面図である。
【発明を実施するための形態】
【００１２】
＜水耕栽培方法＞
本発明の水耕栽培方法は、酸素含有マイクロナノバブルを含む培養液を用いて盆栽用の植物を栽培することを特徴とする。
【００１３】
当該水耕栽培方法に用いられる盆栽用の植物としては、特に限定されないが、確実に水耕栽培することができる点で、桜、梅、ウメモドキ、ムラサキシキブ、カエデ、モミジまたは岩シデであることが好ましい。また、水耕栽培を行う際の上記植物の態様としては、根付きの植物、および切断した切り口を有する植物の枝、のいずれであってもよい。
【００１４】
当該水耕栽培方法に用いられる培養液は、概略的に、酸素含有マイクロナノバブルと、この酸素含有マイクロナノバブル以外の培養液本体とにより構成されている。
【００１５】
酸素含有マイクロナノバブルは、例えば、空気、酸素ガスなどの酸素を含んだマイクロナノバブルで構成される微細な気泡の集団である。このマイクロナノバブルは、マイクロバブルまたはナノバブルのいずれかを単独で含むものであってもよく、マイクロバブルとナノバブルとが混在するものであってもよい。なお、上述のマイクロバブルは、それぞれが１μｍ以上１００μｍ以下の直径を有する気泡の集団であり、ナノバブルは、それぞれが１ｎｍ以上１μｍ未満の直径を有する気泡の集団である。
【００１６】
ここで、酸素含有マイクロナノバブルは、マイナスの帯電に伴う気泡どうしの反発により結合することがなく、しかも浮揚速度が遅いため培養液中に長時間に滞在することができ、かつ酸素の溶解効率にも優れるという性質を有している。
【００１７】
酸素含有マイクロナノバブルを生成する方法としては特に限定されず、例えば、微細孔式、旋回液流法、加圧溶解法、エジェクター法、ベンチュリ法、混合蒸気直接接触凝縮法、超音波振動法等を用いた生成方法を採用することができる。これらの中では、発熱による水温上昇を抑える観点から、微細孔式を用いた生成方法が好ましい。
【００１８】
培養液本体は、盆栽用の植物の培地となるものである。この培養液本体は、主成分となる水を含有する。また、培養液本体は、好適成分として養分および／または発根促進剤を含有していてもよい。さらに、培養液本体は、本発明の効果を損なわない限り、その他の任意成分を含有していてもよい。
【００１９】
養分は、活力を維持するために、盆栽用の植物が根を介して外部から取り入れる成分である。この養分としては、例えば、窒素（N）、リン（Ｐ）、カリウム（Ｋ）、イオウ（Ｓ）、カルシウム（Ｃａ）、マグネシウム（Ｍｇ）、鉄（Ｆｅ）、マンガン（Ｍｎ）、亜鉛(Ｚｎ)、銅（Ｃｕ）、モリブデン（Ｍｏ）、ホウ素（Ｂ）、塩素（Ｃｌ）、ニッケル（Ｎｉ)などの元素を含む液肥等が挙げられる。養分を与える頻度や量は、特に限定されず、盆栽用の植物の状態に基づき適宜決定することができる。
【００２０】
発根促進剤は、盆栽用の植物の発根を促す成分である。発根促進剤に含まれる成分としては、例えば、鉄イオンを含むもの等が挙げられる。なお、発根促進剤を与える頻度や量は、特に限定されず、盆栽用の植物の状態に基づき適宜決定することができる。
【００２１】
水耕栽培を行う際の雰囲気としては、盆栽用の植物の栽培が可能である限り特に限定されない。また、培養液の液温としては、一般的な水耕栽培に適用される液温でよく、盆栽用の植物にもよるが、例えば５℃〜３５℃の液温を適用することができる。
【００２２】
培養液のｐＨとしては、盆栽用の植物の栽培に必要なｐＨであれば特に限定されず、例えば、ｐＨ＝５〜９に設定することができる。
【００２３】
培養液中の溶存酸素濃度の上限としては、飽和溶存酸素量が好ましい。溶存酸素濃度の上限が上記範囲であることで、植物の根から吸収される酸素の量を増やすことができ、根の生育を最大化することができる。一方、上記溶存酸素濃度の下限としては、通常２ｍｇ／Lであり、５ｍｇ／Ｌが好ましく、７ｍｇ／Ｌがより好ましい。溶存酸素濃度の下限が上記範囲であることで、培養液中の好気性微生物が活発に活動でき、植物の活力を維持することができる。
【００２４】
次に、盆栽用の植物の栽培方法について説明する。当該水耕栽培方法は、酸素含有マイクロナノバブルを含む培養液を用いて盆栽用の植物を栽培する。具体的には、まず培養液を調製する。調製される培養液の成分としては、例えば、水道水などの水、および必要に応じて養分、発根促進剤等であり、これらを混ぜ合わせて培養液本体を調合した後、気泡発生装置を用いて培養液本体中でバブリングを行い、酸素含有マイクロナノバブルを生成することにより培養液を調製する。なお、植物投入前のバブリング時間は、１時間以上であることが好ましいが、植物の浸漬と同時にバブリングを開始したり、植物の浸漬後にバブリングを開始してもよい。
【００２５】
次に、土耕栽培をした盆栽用の植物を用い、この植物の根に付着している土を除去する。土の除去方法としては、例えば、上記植物の根に清浄な水を掛け流して除去する方法、空気等の気体を高速で吹き付けて除去する方法等を採用することができる。
【００２６】
次に、気泡発生装置により継続的に発生しているマイクロナノバブルを含む培養液に植物の根全体または枝の切り口を浸漬し、この浸漬が常時保たれるように植物を固定して水耕栽培を行う。なお、水耕栽培中は、バブリングを継続的に行ってもよく、酸素含有マイクロナノバブルが培養液中に滞在している場合は、断続的または単発的にバブリングを行ってもよい。
【００２７】
ここで、当該水耕栽培方法においては、盆栽用の植物が菌根菌と共生していることが好ましい。具体的には、上記植物と共生可能な菌根菌を用い、この菌根菌を自然発生的または人為的に付着させることで共生させることができる。共生させる期間は特に限定されるものではなく、少なくとも水耕栽培期間のうちの一期間であればよく、上記一期間は水耕栽培前の土耕栽培期間から継続したものであってもよい。
【００２８】
盆栽用の植物に共生させる菌根菌は、上記植物の樹種等に応じて適宜選択することができる。例えば、桜、梅、ウメモドキ、ムラサキシキブ、カエデおよびモミジに共生する菌根菌としては、内生菌であるアーバスキュラー菌根菌等が挙げられる。岩シデに共生する菌根菌としては、外生菌である担子菌や子嚢菌等が挙げられる。盆栽用の植物に共生させる菌根菌としては、上記菌根菌を二種以上組合せたものであってもよい。
【００２９】
このように盆栽用の植物を菌根菌と共生させることで、より確実に盆栽用の植物を水耕栽培することができる。これは、培養液に含まれる酸素含有マイクロナノバブルにより菌根菌を活性化することができ、このような菌根菌を介して植物の根から水や養分を効率よく吸収して上記植物に活力を与えることができるためであると推察される。
【００３０】
なお、水耕栽培中は、培養液を定期的に交換することが好ましい。培養液の交換頻度としては、環境にもよるが、例えば、１回／週〜１回／月程度とすることができる。
【００３１】
また、水耕栽培を行う環境としては、栽培する盆栽用の植物が許容する範囲であれば特に限定されず、屋外や屋内での栽培など、上記植物の性質に合わせて適宜選択することができる。
【００３２】
以上のように、当該水耕栽培方法は、酸素含有マイクロナノバブルを含む培養液を用いて盆栽用の植物を栽培するので、盆栽用の植物を土を用いず水耕栽培することができる。これは、マイクロナノバブルの存在によりこれと接する植物の根および菌根菌に安定的に酸素を提供できるため、上記植物の活力を高めることができるものと推察される。
【００３３】
＜盆栽用植物入り収納体＞
本発明の盆栽用植物入り収納体は、酸素含有マイクロナノバブルを含む培養液と、この培養液に根の少なくとも一部が浸漬された盆栽用の植物と、培養液および盆栽用の植物を収納する容器とを備えている。
【００３４】
以下、本発明の盆栽用植物入り収納体の一実施形態について、図面を参照して説明するが、本発明は、当該図面に記載の実施形態にのみ限定されるものではない。
【００３５】
図１は、本発明の盆栽用植物入り収納体の一実施形態を示す概略側面図である。当該盆栽用植物入り収納体１１は、図１に示すように、概略的に、培養液２０と、盆栽用の植物３０と、容器５０とにより構成されている。
【００３６】
培養液２０は、酸素含有マイクロナノバブル２２を含む。この培養液２０は、培養液本体２１と、酸素含有マイクロナノバブル２２とを有している。なお、培養液２０は、＜水耕栽培方法＞の項で上述した構成と同様である。
【００３７】
盆栽用の植物３０は、培養液２０に根の少なくとも一部が浸漬されたものである。盆栽用の植物３０としては、特に限定されないが、確実に水耕栽培することができる点で、桜、梅、ウメモドキ、ムラサキシキブ、カエデ、モミジまたは岩シデであることが好ましい。また、水耕栽培を行う際の上記植物３０の態様としては、根３１ａ付きの植物３１（図１参照）、および切断した切り口３２ａを有する植物３２の枝（図２参照）、のいずれであってもよい。
【００３８】
ここで、盆栽用の植物３０は、菌根菌４０と共生していることが好ましい。なお、菌根菌４０は、＜水耕栽培方法＞の項で上述した構成と同様である。
【００３９】
容器５０は、培養液２０および盆栽用の植物３０を収納する。この容器５０は培養液２０および上記植物３０を収納することができれば特に限定されず、例えば、トレイ５１（図１参照）や透明なビニール袋５２（図３参照）等を採用することができる。
【００４０】
次に、当該盆栽用植物入り収納体１１の形成方法について説明する。なお、培養液２０の調製、および植物の根からの土の除去は、＜水耕栽培方法＞の項での説明と同様である。当該盆栽用植物入り収納体１１の形成に際しては、まず、上述の培養液２０および土を除去した盆栽用の植物３０を準備する。次いで、培養液２０を容器５０に注入し、引き続き気泡発生装置６０を用いて培養液本体２１のバブリングを行う。次いで、培養液２０中に盆栽用の植物の根全体３１ａまたは枝の切り口３２ａを浸漬し、この浸漬が常時保たれるように植物３０を固定することで盆栽用植物入り収納体１１を形成する。
【００４１】
なお、酸素含有マイクロナノバブル２２が培養液２０中に長時間に亘って滞在することができれば、必ずしも常時バブリングを行う必要はなく、図３に示すように、気泡発生装置６０によるバブリングを行わない盆栽用植物入り収納体１２であってもよい。
【００４２】
このように、当該盆栽用植物入り収納体１１は、上記構成であるので、盆栽用の植物３０に酸素を安定的に供給することができ、上記植物３０を土を用いず水耕栽培することができる。
【００４３】
なお、本発明は、上述した実施形態の構成に限定されるものではなく、特許請求の範囲によって示され、特許請求の範囲と均等の意味および範囲内での全ての変更が含まれることが意図される。
【００４４】
例えば、上述した実施形態では、マイクロナノバブル２２を含む培養液２０に植物の根３１ａ全体または枝の切り口３２ａを浸漬する態様について説明したが、乾燥させた水ゴケやスポンジに酸素含有マイクロナノバブルの培養液を含ませ、これを盆栽用の植物の根や枝の切り口に巻きつけて上記培養液を保持する水耕栽培方法、盆栽用植物入り収納体であってもよい。
【実施例】
【００４５】
以下、本発明を実施例に基づいて具体的に説明するが、本発明は、これらの実施例に限定されるものではない。【００４６】
＜培養液の調製＞
プラスチック製の容器（ダイライト株式会社製、角形容器）中で水道水２００Ｌおよび発根促進剤（メネデール株式会社製、商品名：植物活力素メネデール）２Ｌを混ぜ合わせて培養液本体を調合し、気泡発生装置（株式会社西研デバイズ製、型番：インライン型ＢＡＢ発生装置２０Ａ）と循環ポンプ(株式会社レイシ―製、型番：ＲＭＤ−３０１)を用いて培養液本体に空気を１時間バブリングすることで酸素含有マイクロナノバブルを含む培養液を調製した。【００４７】
＜水耕栽培＞
供試植物として表１に記載の植物を用いて水耕栽培を行った。【００４８】
【表１】
2019087718.tif 000003
【００４９】
［実施例１］
供試植物として桜１、菌根菌としてアーバスキュラー菌根菌を用い、桜１の根に水道水を掛け流して上記根に付着した土を洗い落とした後、桜１の根全体を上記容器中の培養液に浸漬し、この浸漬が常時保たれるように桜１を固定して水耕栽培を行った。なお、水耕栽培中は上記気泡発生装置を用いた空気のバブリングを継続した。また、水耕栽培の環境は、気温を０℃〜３５℃、培養液温度を５℃〜３５℃とした。【００５０】
［実施例２〜５］
供試植物および菌根菌を表２に記載した通りとしたこと以外は、実施例１と同一の培養液を用いて実施例１と同様に操作し、各例の水耕栽培を行った。【００５１】
［実施例６］
供試植物および菌根菌を表２に記載した通りとしたこと、培養液として実施例１と同一のものを用いたこと、桜２の枝の切り口を上記培養液に浸漬したこと以外は、実施例１と同様に操作し、水耕栽培を行った。【００５２】
［実施例７］
供試植物および菌根菌を表２に記載した通りとしたこと以外は、実施例６と同様に操作し、水耕栽培を行った。【００５３】
［実施例８］
菌根菌が共生していないこと以外は、実施例１と同様に操作し、水耕栽培を行った。【００５４】
［実施例９〜１２］
菌根菌が共生していないこと、培養液として実施例８と同一のものを用いたこと以外は、それぞれ実施例２〜５と同様に操作し、各例の水耕栽培を行った。【００５５】
［実施例１３］
菌根菌が共生していないこと、培養液として実施例８と同一のものを用いたこと以外は、実施例６と同様に操作し、水耕栽培を行った。【００５６】
［実施例１４］
菌根菌が共生していないこと、培養液として実施例８と同一のものを用いたこと以外は、実施例７と同様に操作し、水耕栽培を行った。【００５７】
［実施例１５〜１６］
追加の実施例として、供試植物としてモミジ１、モミジ２、菌根菌としてアーバスキュラー菌根菌を用い、実施例１と同一の培養液を用いて実施例１と同様に操作し、各例の水耕栽培を行った。なお、供試植物としてモミジ以外のカエデ属カエデ科の植物、例えば、カエデも同様の結果が得られた。【００５８】
［比較例１］
マイクロナノバブルのバブリングを行わないこと以外は、実施例１と同様に操作し、水耕栽培を行った。【００５９】
［比較例２〜５］
マイクロナノバブルのバブリングを行わないこと、培養液として比較例１と同一のものを用いたこと以外は、それぞれ実施例２〜５と同様に操作し、各例の水耕栽培を行った。【００６０】
［比較例６］
マイクロナノバブルのバブリングを行わないこと、培養液として比較例１と同一のものを用いたこと以外は、実施例６と同様に操作し、水耕栽培を行った。【００６１】
［比較例７］
マイクロナノバブルのバブリングを行わないこと、培養液として比較例１と同一のものを用いたこと以外は、実施例７と同様に操作し、水耕栽培を行った。【００６２】
＜評価＞
各例の水耕栽培について、下記方法により水耕栽培適性の評価を行った。その評価結果を表２に示す。また、水質計（ＨＡＣＨ製、型番：ＨＱ４０ｄ）を用いて測定した水耕栽培開始後１週間、３週間、５週間経過時点における培養液の水質（ｐＨ、溶存酸素濃度（ＤＯ、単位：ｍｇ／Ｌ））の測定値を表２に合わせて示す。【００６３】
［水耕栽培適性］
各例の水耕栽培方法を用いて供試植物の水耕栽培を行い、水耕栽培を開始した日から起算して１８０日を経過した日以降に発芽した新芽の有無を指標として水耕栽培適性を評価した。このとき、上記新芽の発芽が視認されかつ発根が視認されれば水耕栽培適性は特に良好「ＡＡ」、上記新芽の発芽が視認されかつ発根が視認されなければ水耕栽培適性は良好「Ａ」、上記新芽の発芽が視認されなければ水耕栽培適性は不良「Ｂ」と評価した。【００６４】
【表２】
2019087718.tif 000004
【００６５】
表２の評価結果から分かるように、実施例ではいずれも水耕栽培適性が有った（水耕栽培適性：ＡＡまたはＡ）のに対し、比較例ではいずれも水耕栽培適性が無かった（水耕栽培適性：Ｂ）。また、実施例の中でも、菌根菌を共生させたものは、水耕栽培適性が特に良好であった（水耕栽培適性：ＡＡ）。このように、酸素含有マイクロナノバブルを含む培養液に菌根菌が共生した植物の場合に特に良好な結果（ＡＡ）が得られたことは、上記マイクロナノバブルが微量元素、例えば鉄（Ｆｅ）などを運び、盆栽の根の育成を促進させるとともに、培養液中の酸素を保持し菌根菌を死滅させることを抑制したためと推察される。
【符号の説明】
【００６６】
１１、１２  盆栽用植物入り収納体
２０  培養液
２２  酸素含有マイクロナノバブル
３０  盆栽用の植物
４０  菌根菌
５０  容器
６０  気泡発生装置
【図１】
2019087718.tif 000005
【図２】
2019087718.tif 000006
【図３】
2019087718.tif 000007
【国際調査報告】
2019087718.tif 000008
2019087718.tif 000009
2019087718.tif 000010
2019087718.tif 000011